【手続補正書】
【提出日】平成16年4月14日(2004.4.14)
【手続補正１】
【補正対象書類名】明細書
【補正対象項目名】発明の名称
【補正方法】変更
【補正の内容】
【発明の名称】光ヘッド装置及び原盤記録装置並びに原盤記録方法
【手続補正２】
【補正対象書類名】明細書
【補正対象項目名】特許請求の範囲
【補正方法】変更
【補正の内容】
【特許請求の範囲】
【請求項１】
記録ユニットから記録用光を原盤に照射して情報を記録する光ヘッド装置において、
前記記録ユニットが先端部に設けられ、この先端部が３次元的に微小変位するアクチュエータを具備したことを特徴とする光ヘッド装置。
【請求項２】
前記アクチュエータの３次元的な微小変位により移動する前記記録ユニットの姿勢を制御する記録ユニット姿勢制御手段を付加したことを特徴とする請求項１記載の光ヘッド装置。
【請求項３】
前記アクチュエータは、電圧印加の部位に応じて伸縮又は屈曲のいずれか一方の動作又両方の動作を行う圧電チューブであることを特徴とする請求項１記載の光ヘッド装置。
【請求項４】
前記アクチュエータは、円周方向に圧電定数が連続的に変化する傾斜機能材料から形成される圧電チューブを用い、前記記録ユニットを姿勢制御しながら移動させることを特徴とする請求項１記載の光ヘッド装置。
【請求項５】
前記アクチュエータの所定部位にそれぞれ配置された複数の電極と、
これら電極に印加する電圧を制御して前記アクチュエータを３次元的に微小変位させる電圧制御手段と、
を付加したことを特徴とする請求項１記載の光ヘッド装置。
【請求項６】
記録用光源から出力された記録用光を原盤に照射して情報を記録する原盤記録装置において、
前記原盤を回転させる回転機構と、
前記記録用光源から出力された前記記録用光を前記原盤上にフォーカスして照射する記録ユニットと、
この記録ユニットが先端部に設けられ、この先端部が３次元的に微小変位するアクチュエータと、
このアクチュエータを前記原盤の略半径方向に移動させる粗動機構と、
を具備したことを特徴とする原盤記録装置。
【請求項７】
前記アクチュエータの３次元的な微小変位により移動する前記記録ユニットの姿勢を制御する記録ユニット姿勢制御手段を付加したことを特徴とする請求項６記載の原盤記録装置。
【請求項８】
前記アクチュエータは、電圧印加の部位に応じて伸縮又は屈曲のいずれか一方の動作又両方の動作を行う圧電チューブであることを特徴とする請求項６記載の原盤記録装置。
【請求項９】
複数のアクチュエータを前記記録ユニットに設け、これらアクチュエータを３次元的に微小変位させて前記記録ユニットを姿勢制御しながら移動させることを特徴とする請求項６記載の原盤記録装置。
【請求項１０】
前記記録用光源を少なくとも前記回転機構、前記記録ユニット、前記アクチュエータ及び前記粗動機構から構成される原盤記録装置本体と分離して設けることを特徴とする請求項６記載の原盤記録装置。
【請求項１１】
前記記録用光源から出力された前記記録用光を前記記録ユニットに対して所定の位置及び入射角で入射させる入射補正手段を付加したことを特徴とする請求項１０記載の原盤記録装置。
【請求項１２】
記録用光源から出力された記録用光を原盤に照射して情報を記録する原盤記録方法において、
前記原盤を回転させる回転工程と、
前記記録用光源から出力された前記記録用光を記録ユニットにより前記原盤に入射させる入射工程と、
前記記録ユニットを先端部に設けたアクチュエータにより３次元的な微小変位をさせる工程と、
前記アクチュエータを前記原盤の略半径方向に移動させる粗動工程と、
を有することを特徴とする原盤記録方法。
【請求項１３】
前記アクチュエータによる３次元的な微小変位をする工程により移動する前記記録ユニットの姿勢を制御する記録ユニット姿勢の制御工程を付加したことを特徴とする請求項１２記載の原盤記録方法。
【請求項１４】
前記アクチュエータによる３次元的な微小変位をする工程は、電圧印加の部位に応じて圧電チューブによる伸縮又は屈曲のいずれか一方の動作又両方の動作を行う工程であることを特徴とする請求項１２記載の原盤記録方法。
【請求項１５】
前記記録ユニットに設けた複数の前記アクチュエータを３次元的に微小変位させて前記記録ユニットを姿勢制御しながら移動させる工程を有することを特徴とする請求項１２記載の原盤記録方法。
【請求項１６】
前記記録用光源から出力された前記記録用光を前記記録ユニットに対して所定の位置及び入射角で入射させる入射補正工程を付加したことを特徴とする請求項１２記載の原盤記録方法。
【手続補正３】
【補正対象書類名】明細書
【補正対象項目名】０００１
【補正方法】変更
【補正の内容】
【０００１】
【発明の属する技術分野】
本発明は、例えば光ディスク原盤にレーザビーム等の記録用光を照射して情報の記録を行う光ヘッド装置及びこれを用いた原盤記録装置並びに原盤記録方法に関する。


【手続補正４】
【補正対象書類名】明細書
【補正対象項目名】０００９
【補正方法】変更
【補正の内容】
【０００９】
そこで本発明は、記録ユニットの位置決めやフォーカス制御の機構を簡単化するとともに高精度化を実現できる光ヘッド装置及びこれを用いた原盤記録装置並びに原盤記録方法を提供することを目的とする。


【手続補正５】
【補正対象書類名】明細書
【補正対象項目名】００２０
【補正方法】変更
【補正の内容】
【００２０】
請求項１１によれば、請求項１０記載の原盤記録装置において、記録用光源から出力された記録用光を記録ユニットに対して所定の位置及び入射角で入射させる入射補正手段を付加した。
請求項１２によれば、記録用光源から出力された記録用光を原盤に照射して情報を記録する原盤記録方法において、
原盤を回転させる回転工程と、
記録用光源から出力された記録用光を記録ユニットにより原盤に入射させる入射工程と、
記録ユニットを先端部に設けたアクチュエータにより３次元的な微小変位をさせる工程と、
アクチュエータを原盤の略半径方向に移動させる粗動工程と、
を有する原盤記録方法である。
請求項１３によれば、請求項１２記載の原盤記録方法において、アクチュエータによる３次元的な微小変位をする工程により移動する記録ユニットの姿勢を制御する記録ユニット姿勢の制御工程を付加した。
請求項１４によれば、請求項１２記載の原盤記録方法において、アクチュエータによる３次元的な微小変位をする工程は、電圧印加の部位に応じて圧電チューブによる伸縮又は屈曲のいずれか一方の動作又両方の動作を行う工程である。
請求項１５によれば、請求項１２記載の原盤記録方法において、記録ユニットに設けた複数のアクチュエータを３次元的に微小変位させて記録ユニットを姿勢制御しながら移動させる工程を有する。
請求項１６によれば、請求項１２記載の原盤記録方法において、記録用光源から出力された記録用光を記録ユニットに対して所定の位置及び入射角で入射させる入射補正工程を付加した。
【手続補正６】
【補正対象書類名】明細書
【補正対象項目名】０１４１
【補正方法】変更
【補正の内容】
【０１４１】
又、本発明の請求項１１によれば、記録用光源を原盤記録装置本体側とは別に設置しても、常に記録ユニットに対してレーザビームを所定の位置及び入射角で入射できる原盤記録装置を提供できる。
又、本発明の請求項１２〜１５によれば、記録ユニットの位置決めやフォーカス制御の機構を簡単化して原盤に対する情報記録を高精度にできる原盤記録方法を提供できる。
又、本発明の請求項１６によれば、記録ユニットの位置決めやフォーカス制御の機構を簡単化して原盤に対する情報記録を高精度にでき、外部からの振動が原盤記録装置本体側に直接伝わることなく、振動による光ディスク原盤への情報記録精度の低下を防ぐことができ、さらに記録用光源を原盤記録装置本体側とは別に設置しても、常に記録ユニットに対してレーザビームを所定の位置及び入射角で入射できる原盤記録方法を提供できる。